(57)【要約】      （修正有）【課題】京都議定書に沿った洗濯機の経済運転装置とし、洗濯水の再使用・すゝぎ水の再利用を図り、回転翼の空転を減少させ、節水を図り、ＣＯ２の削減・節水に依り環境を護る洗濯装置を提供する。【解決手段】使用する洗濯機１、２０のすゝぎ操作に対し低水位排水装置を開発した。きれいな水と汚れた水を別々とさせ許容される低水位とし、汚れた水を加速排水させ回転翼１０、２２の空転を減少させ洗濯水の再使用すゝぎ水の再利用を可能とし、節水し環境を護りすゝぎ水の再使用も含まれる。洗濯機の経済運転は装置の高さ１７で排水し供給する事に依り分類される。【選択図】図１
2011031016.tif 000002
【特許請求の範囲】
【請求項１】
現在自動洗濯機は毎回洗濯水すゝぎ水を排水しているが京都議定書を重視洗濯機の経済運転を図るため低水位排水装置を開発した使用する洗濯機（限定せず）の注排水すゝぎ操作に許容される低水位としすゝぎ水の汚れた水を加速排水を可能とするため洗濯機の排水パイプに装置の取入パイプを直結させ取入バルプを装備しバルプの開閉に依り汚れた水を洗濯機水槽の枯渇を防ぎ排水するものとし洗濯機の経済運転を図るものとする更に第２洗濯機（限定せず）又は脱水機能を有する脱水槽を洗濯機に接合又は離れた場所でも連動作動操作を可能とするため洗濯機の必
2011031016.tif 000013
排水バルプの外に新に排水バルプを装備する洗濯装置。
【請求項２】
使用する洗濯機（限定せず）は水道栓よりの水と洗面台のシヤワー用のパイプを延長して洗濯機水槽で併用して洗濯及すゝぎに使用する経済運動を図るため低水位排水装置を介し低水位として第１洗濯機のすゝぎ装置を低水位排水と呼称その高さで排水するすゝぎ水を第２の洗濯機又は脱水槽へ洗面台の下部を利用装置させ再使用を図る  大型洗濯機の場合水不足の場合合も洗濯機上方に貯水タンクを用ひる事も可能とする洗濯装置。
【請求項３】
水道栓よりの水とシヤワー用の水を拡散供給させ浮遊する洗濯物を利用水槽上部にきれいな水の壁を形成させ下部に汚れた水の壁を形成させ前記低水位排水装置を介し第２洗濯機又は脱水槽へ供給させ再利用した水も同水位として排水するものとする洗濯装置。
【発明の詳細な説明】
【技術の分野】
【０００１】本発明は現在全自動洗濯機は毎回洗濯水すゝぎ水を排水されているがこれは貴重な資源であり京都議定書を重視洗濯機の経済運転を図り洗濯効果の向上を図るものとするため低水位排水装置を開発した（特願２００９−１７３６６９）説明不足もあったものと思考し改めて再度記載するものとする使用する洗濯機（限定せず）の注排水すゝぎ操作に対し水槽上部にきれいな水の壁を形成させ下部に汚れた水の壁を形成させ汚れた水を加速排水させ許容される低水位として（余り低水位とすると回転翼に依って洗濯物を損傷する）ため必要とする低水位として排水させる事に依って回転翼の空転を減少させ汚れた水を加速排水させるる事に依って汚れた水ときれいな水の混合を防ぎすゝぎ水の使用を減少させ洗濯時間の短縮を可能とするそのため洗濯機に依り低水位を定め注水量  排水量  回転翼の回転を取入れたものとするため排水パイプに装置の取入パイプを直結させバルプを装備しバルプの開閉に依り装置を介しすゝぎ水を加速排水を図るものとする装置を低水位排水装置と呼称する  このすゝぎ水は洗濯機水槽を枯渇させる事なく必要に応じ更に第２の洗濯機又は脱水機能を有する脱水槽へ供
2011031016.tif 000003
来ないものとする水位調整装置もよいが万人に対し固定された低水位排水装置が望ましいものと思考されるこのため排水パイプの下方に新に排水バルプを装備する洗濯装置。
【背景技術】
【０００２】出願人は洗濯機から排水されるすゝぎ水の汚れの濃度差を利用再使用を図るため槽を増加し三槽式洗濯機を考案したがその設置場所の確
2011031016.tif 000004
でもあったこれとは別に出願人は横須賀海軍機関学校に於て先端技術を教へられ機械の分解組立操従に研究を重ねた。
【特許文献１】実公昭５８−０１７５９６号公報
【特許文献２】特開平２００９−９０００１
【発明の開示】
【発明が解決しようとする課題】
【０００３】前記洗濯機の経済運転を図り京都議定書に沿った洗濯機とするため洗濯水の再使用すゝぎ水の再利用を可能とし環境を護り回転翼の空転を減少させＣｏ２の削減を可能とし洗濯時間の短縮を図る。
【課題を解決するための手段】
【０００４】現在洗濯機の洗濯すゝぎ操作は大型小型洗濯機は何れも水道栓よりの水を直接パイプを介し使用されてゐる考案は経済運転を図るため大型に対しては洗濯機に上方に貯水タンクを使用  小型にも使用するものとしたがこの度は課題を解決するための手段として洗濯機の経済運転を図るものとする【０００５】課題を解決するための手段として併列する洗面台のシャワー用のパイプを延長させ水道栓よりの水とシャワー用の水を洗濯機水槽で拡散供給し併用使用するものとする  大型洗濯機の場合水不足の場合も洗濯機上方に貯水タンクを使用する事もできる洗濯装置。【０００６】これに依り洗濯物のすゝぎ操作に対し洗濯機水槽上部に浮遊する洗濯物と供給される水を利用水槽上部にきれいな水の壁を形成させ下部に汚れた水の壁を形成させ前記低水位排水装置を介し第２洗濯機又は脱水機能を有する脱水槽へ供給するものとする。【０００７】第２洗濯機又は脱水機能を有する  脱水槽は洗面台下部を利用するものとし小型の洗濯機は脱水槽を使用する  そのため洗面台も両立可能な装置とする事を可能とするため洗面台の嵩上げもあり得るものとし洗濯機又は脱水槽も下部にキャスターを装着出し入れを可能とする  これは一例を示す低水位排水装置の高さ（１７）で使用しない時は排水するものとなり使用する時は供給するものとする。【０００８】前記装置操作を可能とするため洗濯機の必要な装置に配線配管を施し第２洗濯機又は脱水槽へすゝぎ水の排水を取入れ第１洗濯機の経済運転をそこねる事を防ぐ水位としてすゝぎ水の排水を再使用し排水する。【０００９】
2011031016.tif 000005
に新に排水バルプを装備する。
【発明の効果】
【００１０】従来の洗濯機の洗濯物のすゝぎ操作はモーターを駆動しベルトを介し回転翼を回転させきれいな水と汚れた水を混合させ洗濯機水槽の体積分の汚れた水をわざゞうすめて溢水口から排水するものでありそれが当然である時代でもあった又きれいな水と汚れた
2011031016.tif 000006
転翼を停止させ下部排水パイプから排水するものもあった併し何れも汚れた水をうすめて排水するものであったそのため洗濯物は遊動回転を多くし衣類の大切な熱を貯へてくれる羽毛をむしり取られ肌衣の新しいものも忽ち肌寒いものとなるものとした。【００１１】洋上生活に水の大切さを教へられ体験し高度な技術を教へられ操従分解組立した身にも洗濯機の改造の難しさ気がついた時全自動洗濯機となり手の届かないものとなってゐる事に気がついた国のため命ぜられ戦いに生き残った身とし京都議定書を知り洗濯機の経済運転を指向した回転翼の空転を発見したそれに依り水位調整装置を開発した併しこれは経済運転に少し計りかけ離れてゐるものである事に気付いた今回開発した低水位排水装置である洗濯機に依り低水位を定め固定した低水位とし汚れた水を加速排水させ回転翼の空転を減少させるものとする。【００１２】出願人はこの場を借り多くの方々に現在毎回洗濯水すゝぎ水を排水してゐるこの水のため部落を失い村を追はれた人達がおられる事を知って貰ひたい今は遠い昔となった敗戦の日耐へ難きを耐へ忍び難きを忍び祖国の再建とあの玉音を背に重い足を引ずりふる里へ帰った我か身国敗れて山河あり只々涙した身であった併しふるさとがある丈けで幸なものであったこの水のため部落と村を失った人は今はどこへ京都議定書のためにも、もうこれ以上ダムの肥大化を防ぎたいものである。【００１３】三槽式洗濯機を考案したが固定したゝめ実用化に至らずあれから何れ位すゝぎ水を排水されたであらうと今回離れた場所として認定され周囲をよく見れば併列された洗面台の下を利用出来シヤワー用の水があり京都議定書のためにも役立てダムの肥大化を防ぎＣｏ２を減少させ環境を護りたいものである。【００１４】（００１０）（００１１）前記に依り節水を可能とし環境を護り回転翼の空転を減少させＣｏ２の削減を図り洗濯時間の短縮を可能とする。
【本発明の一実施例を図面に基いて説明する】
【００１５】洗濯の場合第１洗濯機（１）と第２洗濯機に分けて洗濯する事が出来る水道栓のバルプ（２）は開いたまゝとする水道栓よりのバルプ（３）を開き水道水を第１洗濯機へ（１）供給（４）する洗面台（１９）のバルプ（５）を開きシヤワー用のパイプ（６）を介し水を供給する  第２洗濯機（２０）へ水道栓よりの水を供給するためバルプ（３２）を開いて供給（３５）する適水となつたらそれゞバルプ（３）（５）（３２）を閉さする２つに分け第１洗濯機（１）第２洗濯機（２０）でするため洗濯水位も洗濯物は少く水も洗剤も少く洗濯するものとする同時洗濯するため第１洗濯機（１）のモーター（８）を駆動回転翼（１０）を回転させ洗濯を開始する第２洗濯機（２０）もモーター（２１）を駆動し回転翼（２２）を回転させ洗濯を開始する第１洗濯機はもう１度洗濯する事も出来るその時第２洗濯機の洗濯水を洗濯水取出バルプ（２８）を開いて容器により第１洗濯機（１）へ補水する事も出来る
2011031016.tif 000007
新しく設けた排水バルプ（２７）を開いて排水させる  排水が終って前記バルプは閉さゝれる。
【００１６】洗濯物のすゝぎの場合第１洗濯機（１）第２洗濯機（２０）で同時にすゝぎを開始するものとし第１洗濯機（１）のすゝぎ操作を経済運転とさせるため水道栓よりのバルプ（３）を開いて水を供給（４）させ更にシヤワー用のバルプ（５）を開いてパイプ（６）を介し供給（７）させる洗濯した洗濯物は２つに分けそれゞ第１洗濯機（１）第２洗濯機（２０）へ入れる第１洗濯機（１）は水道水を取入るためバルプ（３）を開き供給（４）させ更にシヤワ用のバルプ（５）を開いてパイプ（６）を介し供給（７）する洗濯機（１）の水位が低水位（１４）としモーター（８）を駆動させ回転翼（１０）回転させる  すゝぎ水を第２洗濯機（２０）へ供給
2011031016.tif 000008
（１６）を開いて第１洗濯機自体は経済運転とし節水を図り汚れた水を加速排水させる（１７）この高さからこの排水を第２洗濯機（２０）へ供給（１８）されるものとするこゝが低水位排水装置と呼称する供給されたすゝぎ水は第２洗濯機（２０）の
2011031016.tif 000009
（２３）開いて第２低水位排水装置（２４）の取入バルプ（２５）を開いて第２低水位排水装置（２４）の排水の高さ（３４）は第１洗濯機（１）の低水位（１４）の高さとし排水されるこのため低水位排水装置は水位調整装置と異り確実に設定され水位を調整する事もなく第１洗濯機（１）も第２洗濯機も経済運転としすゝぎ水を再利用し洗濯水も再使用するものとする事が可能とするすゝぎが終れば第１洗濯機（１）が全自動洗濯機でない時洗濯物は第２洗濯機で脱水させ第１洗濯機（１）のすゝぎ
2011031016.tif 000010
バルプ（２３）を開き新しく設けた排水バルプ（２７）を開いて脱水する事が出来る第２洗濯機（２０）はキヤスターに依り収納を可能とする又洗濯も寒い時任意に洗面台のシヤワーを暖い水にして第１洗濯機に供給洗濯効果を図る事も可能とする。
【図面の簡単な説明】
【００１７】
【図１】本発明に係る洗濯装置の概略全体図である。
【符号の説明】
【００１８】  １          第１洗濯機
２          水道栓
３          第１洗濯機の水道栓よりのバルプ
４          第１洗濯機の水道栓供給
５          洗面台のバルプ
６          シヤワー用のパイプ
７          シャワー用の供給
８          第１洗濯機のモーター
９          第１洗濯機モーターのベルト
１０          第１洗濯機の回転翼
2011031016.tif 000011
１２          第１洗濯機の排水パイプ
１３          第１洗濯機に新しく設けた排水バルプ
１４          第１洗濯機の低水位
１５          第１低水位排水装置
１６          第１低水位排水装置の取入バルプ
１７          第１低水位排水装置の取入又は排水の高さ
１８          すゝぎ水の供給
１９          洗面台
２０          第２洗濯機
２１          第２洗濯機のモーター
２２          第２洗濯機の回転翼
2011031016.tif 000012
２４          第２低水位排水装置
２５          第２低水位排水装置の取入バルプ
２６          第２洗濯機の排水パイプ
２７          第２排水パイプに新に設けた排水バルプ
２８          洗濯水取出バルプ
２９          総合排水パイプ
３０          溢水口
３１          キヤスター
３２          第２洗濯機の水道水取入バルプ
３３          鏡
３４          第２洗濯機の排水の高さ
３５          第２洗濯機へ供給
３６          第２洗濯機の脱水槽
【図１】
2011031016.tif 000014